(57)【要約】【課題】薄く、軽量であり、静電気による埃やゴミ等の異物のかみ込みが少なく、コントラストやスクリーン全体の輝度を向上することができる反射スクリーン、映像表示システムを提供する。【解決手段】光を拡散反射する拡散反射層１１２ａと、拡散反射層１１２ａより裏面側に設けられ、光を透過しない隠蔽層１１２ｂとを有する反射層１１２を、透過層１１１の裏面側に接合層１１３を介して接合した。拡散反射層１１２ａは、光の反射率が３０％以上であり、かつ、光の透過率が５０％以下である。隠蔽層１１２ｂは、アルミニウムを蒸着することにより形成され、その表面抵抗が１０10Ω以下であり、光の透過率は５％以下、光の反射率は５０％以上である。【選択図】図２
2008040153.tif 000002
【特許請求の範囲】
【請求項１】
映像源から投射された映像光を反射させて観察可能にする反射スクリーンであって、
前記映像光を透過する透過層と、
前記透過層より裏面側に設けられ、前記透過層を透過した前記映像光を反射する反射層と、
を備え、
前記透過層は、スクリーン面に対して直交する断面において、光を透過可能な光透過部と、光を吸収する光吸収部とが、スクリーン面に沿って交互に形成されており、
前記反射層は、前記映像光を拡散反射する拡散反射層と、前記拡散反射層より裏面側に設けられ、光を透過しない隠蔽層とを備えること、
を特徴とする反射スクリーン。
【請求項２】
請求項１に記載の反射スクリーンにおいて、
前記光透過部は、スクリーン面に対して直交する断面において、裏面側における幅より前記映像源側における幅が広い略台形形状である単位プリズム形状であって、スクリーン面に沿って多数並べて形成されていること、
を特徴とする反射スクリーン。
【請求項３】
請求項１又は請求項２に記載の反射スクリーンにおいて、
前記拡散反射層は、光の反射率が３０％以上であり、かつ、光の透過率が５０％以下であること、
を特徴とする反射スクリーン。
【請求項４】
請求項１から請求項３までのいずれか１項に記載の反射スクリーンにおいて、
前記隠蔽層は、光の透過率が５％以下であること、
を特徴とする反射スクリーン。
【請求項５】
請求項１から請求項４までのいずれか１項に記載の反射スクリーンにおいて、
前記隠蔽層は、光を反射可能であり、光の反射率が５０％以上であること、
を特徴とする反射スクリーン。
【請求項６】
請求項１から請求項５までのいずれか１項に記載の反射スクリーンにおいて、
前記隠蔽層の表面抵抗は、１０10Ω以下であること、
を特徴とする反射スクリーン。
【請求項７】
請求項１から請求項６までのいずれか１項に記載の反射スクリーンにおいて、
前記隠蔽層は、蒸着によって形成されていること、
を特徴とする反射スクリーン。
【請求項８】
請求項１から請求項６までのいずれか１項に記載の反射スクリーンにおいて、
前記隠蔽層は、塗装によって形成されていること、
を特徴とする反射スクリーン。
【請求項９】
請求項１から請求項８までのいずれか１項に記載の反射スクリーンにおいて、
巻き取り可能な可撓性を有すること、
を特徴とする反射スクリーン。
【請求項１０】
請求項１から請求項９までのいずれか１項に記載の反射スクリーンにおいて、
前記反射層の映像源側界面には、微細な凹凸形状が形成されていること、
を特徴とする反射スクリーン。
【請求項１１】
請求項１から請求項１０までのいずれか１項に記載の反射スクリーンにおいて、
前記反射層と前記透過層との間には、前記反射層と前記透過層とを接合する接合層が設けられていること、
を特徴とする反射スクリーン。
【請求項１２】
請求項１１に記載の反射スクリーンにおいて、
前記接合層は、光の透過率が７０％以上であること、
を特徴とする反射スクリーン。
【請求項１３】
請求項１１又は請求項１２に記載の反射スクリーンにおいて、
前記接合層は、光を拡散する微小ビーズを含むこと、
を特徴とする反射スクリーン。
【請求項１４】
請求項１３に記載の反射スクリーンにおいて、
前記微小ビーズは、平均粒径が１〜２０μｍであること、
を特徴とする反射スクリーン。
【請求項１５】
請求項１から請求項１４までのいずれか１項に記載の反射スクリーンにおいて、
映像源側の表面の表面抵抗は、１０10Ω以下であること、
を特徴とする反射スクリーン。
【請求項１６】
請求項１から請求項１５までのいずれか１項に記載の反射スクリーンと、
前記反射スクリーンに映像光を投射する映像源と、
を備える映像表示システム。
【発明の詳細な説明】
【技術分野】
【０００１】
本発明は、映像源から投射された映像光を反射して観察可能とする反射スクリーン、映像表示システムに関するものである。
【背景技術】
【０００２】
従来、反射スクリーンは、透明シート等の基材の裏面側に、反射層として白色塗料を塗布したものや、透明シートの前面側（観察面側）に光透過拡散層、背面側（裏面側）に光反射用のリニアフレネルレンズ面が設けられたもの（特許文献１参照）等が知られていた。
このような反射スクリーンでは、映像光を反射する反射層の反射率が１００％ではないために、反射スクリーンに入射した映像光の一部が、反射層で反射せず、反射層を透過して反射スクリーンの裏面側から出射し、映像の明るさが低下するという問題があった。
また、反射スクリーンの裏面側から、照明光等の不要な光（以下、外光とする）が入射した場合に、その外光が観察面側まで透過し、映像のコントラストが低下するという問題があった。
【０００３】
特許文献２には、反射層の表面に遮光性を有する遮光層を積層形成した反射スクリーンが記載されている。しかし、特許文献２に記載の反射スクリーンでは、映像源側から反射スクリーンに入射する外光への対策がなされておらず、明るい室内等の外光の影響の大きい環境では、映像の明るさやコントラストが失われ、鮮明な映像が得られないという問題があった。
【０００４】
また、反射スクリーンに関しては、従来から、よりコントラストの高い映像を得たいという要求、及び、投射側光源の光量が少ない場合であっても、できる限り高輝度な画像を得たいという要求があった。
さらに、高輝度な映像を得られた場合であっても、不要な映り込みを排除することは、常に要求されることであった。
【特許文献１】特開平８−２９８７５号公報
【特許文献２】特開平９−７３１３１号公報
【発明の開示】
【発明が解決しようとする課題】
【０００５】
本発明の課題は、薄く、軽量であり、静電気による埃やゴミ等の異物の付着やかみ込みが少なく、コントラストやスクリーン全体の輝度を向上することができる反射スクリーン、及び、これを備えた映像表示システムを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、映像源から投射された映像光を反射させて観察可能にする反射スクリーンであって、前記映像光を透過する透過層（１１１）と、前記透過層より裏面側に設けられ、前記透過層を透過した前記映像光を反射する反射層（１１２）と、を備え、前記透過層は、スクリーン面に対して直交する断面において、光を透過可能な光透過部（１１１ｂ）と、光を吸収する光吸収部（１１１ｃ）とが、スクリーン面に沿って交互に形成されており、前記反射層は、前記映像光を拡散反射する拡散反射層（１１２ａ）と、前記拡散反射層より裏面側に設けられ、光を透過しない隠蔽層（１１２ｂ）とを備えること、を特徴とする反射スクリーン（１００）である。
請求項２の発明は、請求項１に記載の反射スクリーンにおいて、前記光透過部（１１２ｂ）は、スクリーン面に対して直交する断面において、裏面側における幅より前記映像源側における幅が広い略台形形状である単位プリズム形状であって、スクリーン面に沿って多数並べて形成されていること、を特徴とする反射スクリーン（１００）である。
請求項３の発明は、請求項１又は請求項２に記載の反射スクリーンにおいて、前記拡散反射層（１１２ａ）は、光の反射率が３０％以上であり、かつ、光の透過率が５０％以下であること、を特徴とする反射スクリーン（１００）である。
請求項４の発明は、請求項１から請求項３までのいずれか１項に記載の反射スクリーンにおいて、前記隠蔽層（１１２ｂ）は、光の透過率が５％以下であること、を特徴とする反射スクリーン（１００）である。
請求項５の発明は、請求項１から請求項４までのいずれか１項に記載の反射スクリーンにおいて、前記隠蔽層（１１２ｂ）は、光を反射可能であり、光の反射率が５０％以上であること、を特徴とする反射スクリーン（１００）である。
請求項６の発明は、請求項１から請求項５までのいずれか１項に記載の反射スクリーンにおいて、前記隠蔽層（１１２ｂ）の表面抵抗は、１０10Ω以下であること、を特徴とする反射スクリーン（１００）である。
請求項７の発明は、請求項１から請求項６までのいずれか１項に記載の反射スクリーンにおいて、前記隠蔽層（１１２ｂ）は、蒸着によって形成されていること、を特徴とする反射スクリーン（１００）である。
請求項８の発明は、請求項１から請求項６までのいずれか１項に記載の反射スクリーンにおいて、前記隠蔽層は、塗装によって形成されていること、を特徴とする反射スクリーンである。
請求項９の発明は、請求項１から請求項８までのいずれか１項に記載の反射スクリーンにおいて、巻き取り可能な可撓性を有すること、を特徴とする反射スクリーン（１００）である。
請求項１０の発明は、請求項１から請求項９までのいずれか１項に記載の反射スクリーンにおいて、前記反射層（１１２）の映像源側界面（１１２ｃ）には、微細な凹凸形状が形成されていること、を特徴とする反射スクリーン（１００）である。
請求項１１の発明は、請求項１から請求項１０までのいずれか１項に記載の反射スクリーンにおいて、前記反射層（１１２）と前記透過層（１１１）との間には、前記反射層と前記透過層とを接合する接合層（１１３）が設けられていること、を特徴とする反射スクリーン（１００）である。
請求項１２は、請求項１１に記載の反射スクリーンにおいて、前記接合層（１１３）は、光の透過率が７０％以上であること、を特徴とする反射スクリーン（１００）である。
請求項１３の発明は、請求項１１又は請求項１２に記載の反射スクリーンにおいて、前記接合層（１１３）は、光を拡散する微小ビーズを含むこと、を特徴とする反射スクリーン（１００）である。
請求項１４の発明は、請求項１３に記載の反射スクリーンにおいて、前記微小ビーズは、平均粒径が１〜２０μｍであること、を特徴とする反射スクリーン（１００）である。
請求項１５の発明は、請求項１から請求項１４までのいずれか１項に記載の反射スクリーンにおいて、映像源側の表面（１１４）の表面抵抗は、１０10Ω以下であること、を特徴とする反射スクリーン（１００）である。
請求項１６の発明は、請求項１から請求項１５までのいずれか１項に記載の反射スクリーン（１００）と、前記反射スクリーンに映像光を投射する映像源（Ｐ）と、を備える映像表示システムである。
【発明の効果】
【０００７】
本発明によれば、以下の効果を奏することができる。
（１）透過層は、スクリーン面に対して直交する断面において、光を透過可能な光透過部と、光を吸収する光吸収部とが、スクリーン面に沿って交互に形成されており、反射層は、映像光を拡散反射する拡散反射層と、拡散反射層より裏面側に設けられ、光を透過しない隠蔽層とを備えている。
従って、不要な外光を吸収してコントラストの高い映像を表示でき、かつ、拡散反射することによりホットスポット等の輝度ムラを防止でき、映像光が反射スクリーンの裏面側へ抜けることや、裏面側からの外光の入射を防止できる。従って、輝度ムラを防止でき、コントラストやスクリーン全体の輝度が向上し、画質の向上を図ることができる。
【０００８】
（２）光透過部は、スクリーン面に対して直交する断面において、裏面側における幅より映像源側における幅が広い略台形形状である単位プリズム形状であって、スクリーン面に沿って多数並べて形成されているので、映像光を必要な観察方向へ効率よく反射させることができる。
【０００９】
（３）拡散反射層は、光の反射率が３０％以上であり、かつ、光の透過率が５０％以下であるので、映像光の光量を低下させることなく、拡散反射させることができる。
【００１０】
（４）隠蔽層は、光の透過率が５％以下であるので、裏面側からの不要な外光の入射を防止できる。
【００１１】
（５）隠蔽層は、光を反射可能であり、光の反射率が５０％以上であるので、映像光を確実に反射させることができる。
【００１２】
（６）隠蔽層の表面抵抗は、１０10Ω以下であるので、導電性を有しており、反射スクリーンの裏面に生じた静電気が帯電することを防止する帯電防止効果を有する。従って、反射スクリーンを巻き取ったり重ねたりして保管する際等に、埃やゴミ等の異物の付着や噛み込みを防止できる。
【００１３】
（７）隠蔽層は、蒸着によって形成されているので、厚みがより薄く、軽量の反射スクリーンとすることができる。また、隠蔽層を容易に形成することができる。
【００１４】
（８）隠蔽層は、塗装によって形成されているので、容易に形成でき、生産コストを抑えることができる。
【００１５】
（９）巻き取り可能な可撓性を有するので、不使用時や輸送時等に、巻き取って収納、保管することができる。
【００１６】
（１０）反射層の映像源側界面には、微細な凹凸形状が形成されているので、映像光を拡散することができる。
【００１７】
（１１）反射層と透過層との間には、反射層と透過層とを接合する接合層が設けられているので、別部材の反射層と透過層とを用いて、容易に製造可能である。
【００１８】
（１２）接合層は、光の透過率が７０％以上であるので、映像光の光量を低下させることがない。
【００１９】
（１３）接合層は、光を拡散する微小ビーズを含むので、映像光を拡散させることができる。
【００２０】
（１４）微小ビーズは、平均粒径が１〜２０μｍであるので、映像光を確実に拡散させることができる。
【００２１】
（１５）映像源側の表面の表面抵抗は、１０10Ω以下であるので、導電性を有しており、映像源側の表面に生じる静電気を防止する帯電防止効果を有する。従って、映像源側の表面に埃やゴミ等の異物が付着したり、付着した異物によってスクリーン面に傷が生じたりする等によって、画質が劣化することを防止できる。
【００２２】
（１６）映像表示システムは、本発明による反射スクリーンと、反射スクリーンに映像光を投射する映像源とを備えるので、コントラストが高く、明るい映像を表示できる。また、反射スクリーンは、その表面に埃やゴミ等の異物の付着やかみ込みが生じ難く、より高品位な映像表示システムとすることができる。
【発明を実施するための最良の形態】
【００２３】
本発明は、薄く、軽量であり、静電気による埃やゴミ等の異物の付着やかみ込みが少なく、コントラストやスクリーン全体の輝度を向上することができる反射スクリーン、及び、これを備えた映像表示システムを提供するという目的を、反射層に、拡散反射層と、拡散反射層よりも裏面側に形成された隠蔽層とを設けることにより実現した。
【実施例】
【００２４】
図１は、本発明による反射スクリーン１００を備えた巻き取り型反射スクリーン装置１０、及び、これを備えた映像表示システムを説明する図である。
なお、図１を含め、以下に示す各図は、説明のため各部寸法，形状等を適宜誇張して示している。また、各図中における垂直方向、水平方向とは、反射スクリーン１００の使用状態における垂直方向、水平方向である。
本実施例の映像表示システムは、反射スクリーン１００を備えた巻き取り型反射スクリーン装置１０と、反射スクリーン１００に映像光を投射するプロジェクター光学エンジン部（映像源）Ｐとを備えている。
巻き取り型反射スクリーン装置１０は、反射スクリーン１００，収納部１２，錘部１３等を備えている。この巻き取り型反射スクリーン装置１０は、天井等に取り付けられ、スクリーン使用時には、後述の収納部１２から反射スクリーン１００を引き出して映像光を投射して映像を表示し、不使用時には収納部１２内に巻き取ることが可能である。
【００２５】
収納部１２は、不使用時に巻き取った反射スクリーン１００をその内部に収納する部分である。収納部１２は、金属製又はプラスチック製等の中空の部材であり、反射スクリーン１００を引き出し可能なスリット等がその軸方向に形成されている。収納部１２の内部には、反射スクリーン１００を巻き取る不図示の巻き芯が備えられており、本実施例では、後述のスクリーン本体部１１０に接合された後述の非スクリーン本体部１２０の一端が、この巻き芯に取り付けられている。また、本実施例では、収納時には、反射スクリーン１００は、観察面側が巻き芯側となるように巻き取られる形態となっている。
【００２６】
錘部１３は、反射スクリーン１００の巻き芯に取り付けられる一端とは反対側の端部に設けられた部分である。この錘部１３は、反射スクリーン１００の使用状態の平面性を高めるのに十分な重さを有している。本実施例では、錘部１３は、金属製の丸棒状の部材であり、スクリーン本体部１１０に接合された非スクリーン本体部１２０の一端が巻き付けられ、接着されている。
本実施例の巻き取り型反射スクリーン装置１０は、反射スクリーン１００の巻き取りを、スプリングの付勢力によって行うスプリング巻き上げ方式の反射スクリーン装置である。しかし、これに限らず、例えば、スクリーンの巻き取りを電動で行う電動式巻き取り方式や、パンタグラフを複数組み合わせた伸縮機構による下からの持ち上げによってスクリーンを使用状態となるように引き出し、これと逆の動作によってスクリーンを巻き取る方式のものでもよい。
【００２７】
本実施例の反射スクリーン１００は、収納時等に巻き取り可能であり、映像源Ｐから投射された映像光を観察者Ｏ側へ反射させて観察可能とする反射スクリーンであり、巻き取り可能である。
また、本実施例の反射スクリーン１００は、映像を表示するスクリーン本体部１１０と、映像を表示しない非スクリーン本体部１２０とを有する。
【００２８】
非スクリーン本体部１２０は、スクリーン本体部１１０の端部と接合されたシート状又はフィルム状の部材である。本実施例では、非スクリーン本体部１２０は、厚さ１００μｍのＰＥＴ製の黒色のシート状の部材を用いている。
この非スクリーン本体部１２０は、スカートフィルムやリード部とも呼ばれ、映像を表示せず、収納部１２０から引き出された長さによって、スクリーン本体部１１０の高さを調整する機能を有する。
本実施例では、非スクリーン本体部１２０は、ＰＥＴ製である例を示したが、これに限らず、例えば、ポリカーボネート（ＰＣ），ポリ塩化ビニル（ＰＶＣ），オレフィン系樹脂，ターポリン等を適宜選択して用いてもよい。
【００２９】
図２は、スクリーン本体部１１０の断面図である。
なお、図２では、スクリーン本体部１１０を、スクリーン使用時の垂直方向に平行な面で切断した断面図を示している。ここで、スクリーン面とは、反射スクリーン全体として見たときにおける、スクリーンの平面方向となる面を示すものであり、以下の説明中、及び、特許請求の範囲においても同一の定義として用いている。
スクリーン本体部１１０は、透過層１１１，反射層１１２，接合層１１３，帯電防止層１１４等を備えており、映像を表示可能な部分である。
【００３０】
透過層１１１は、映像光を透過する層であり、基材層１１１ａ，光透過部１１１ｂ，光吸収部１１１ｃを備えている。
基材層１１１ａは、後述の光透過部１１１ｂを形成するための基材となる層であり、アクリル、ＰＣ、ＰＥＴ等の樹脂製のシート又はフィルムから形成される光透過性を有する層である。本実施例では、基材層１１１ａは、厚さ１００μｍのＰＥＴ製のフィルムを用いている。
光透過部１１１ｂは、光を透過する部分であり、スクリーン面に対して直交する断面において、観察面側（映像源側）における幅が裏面側における幅よりも広い略台形形状である単位プリズム形状に形成されており、スクリーン面に沿って垂直方向に多数並べて形成されている。
この光透過部１１１ｂは、屈折率が１．５６である紫外線硬化型樹脂を、基材層１１１ａ上に塗布し、型を当てつけた状態で紫外線を照射して硬化させることにより、単位プリズム形状を賦型して形成されている。なお、本実施例では、光透過部１１１ｂは、紫外線硬化型樹脂を用いて形成される例を示したが、これに限らず、例えば、電離放射線硬化型樹脂等の他の光硬化型樹脂を用いて形成してもよい。また、光透過性を有する熱可塑性樹脂等を用いた熱溶融押し出し成型によって形成してもよい。
【００３１】
光吸収部１１１ｃは、光を吸収する作用を有する部分であり、多数並べられた光透過部１１１ｂ同士の間隙に形成されている。本実施例における光吸収部１１１ｃは、光を吸収する作用を有する微小ビーズとして平均粒径が６μｍの黒色顔料が含まれている紫外線硬化型樹脂（屈折率１．４９）をワイピング（スキージング）することにより、光透過部１１１ｂ同士の隙間に充填し、紫外線を照射して形成されている。
【００３２】
反射層１１２は、透過層１１１より裏面側に設けられ、透過層１１１を透過した映像光を反射する層であり、拡散反射層１１２ａ，隠蔽層１１２ｂを有する。
拡散反射層１１２ａは、映像光を拡散反射する層である。拡散反射層１１２ａは、光の反射率が３０％以上であり、かつ、光の透過率が５０％であることが、明るい映像を表示するために好ましい。本実施例では、拡散反射層１１２ａとして、厚さが２５μｍである白色のＰＥＴ製のフィルム状の部材を用いている。拡散反射層１１２ａの厚みとしては、１００μｍ以下であることが、スクリーン１００の巻き取り易さや軽量化等の観点から好ましい。
また、拡散反射層１１２ａ（反射層１１２）の映像源側の界面１１２ｃには、サンドブラスト等によって微細な凹凸形状が形成されている。
【００３３】
隠蔽層１１２ｂは、拡散反射層１１２ａより裏面側に設けられ、光を透過しない層である。隠蔽層１１２ｂは、光の透過率が５％以下であること、光を反射可能であって光の反射率が５０％以上であることが、裏面側からの不要な外光の入射を防止し、映像光を確実に反射させて、コントラストが高く明るい映像を表示する観点から好ましい。本実施例では、隠蔽層１１２ｂは、アルミニウムを拡散反射層１１２ａの裏面側に蒸着することにより形成された銀色の層であり、光の透過率が０．１％、光の反射率が８５％である。
また、隠蔽層１１２ｂは、その表面抵抗（ＪＩＳ  Ｃ２１７０）が０．１Ωである。ここで、隠蔽層１１２ｂの表面抵抗が、１０10Ω以下であると導電性を有し、静電気の帯電を抑制できる。従って、隠蔽層１１２ｂの表面抵抗は、１０10Ω以下であることが好ましい。隠蔽層１１２ｂの表面（反射スクリーン１００の最も裏面側表面）の帯電を抑えることにより、帯電した静電気によって反射スクリーン１００の裏面に埃等の異物が付着することを防止できる。また、反射スクリーン１００を巻き取る等して収納した場合に、帯電した静電気によってスクリーンの裏面に埃等の異物が付着、かみ込む等して、巻き取られたスクリーン本体部１１０の表面に傷等が生じてスクリーンの画質の低下が発生するのを防止できる。
【００３４】
接合層１１３は、透過層１１１と反射層１１２との間に設けられ、透過層１１１と反射層１１２とを接合する層である。この接合層１１３は、光の透過率が７０％以上であることが、反射スクリーン１００の表示する映像の輝度向上、コントラストの向上の観点から好ましい。
本実施例では、接合層１１３は、光を拡散する作用を有する平均粒径６μｍの不図示の微小ビーズが混練されたアクリル系樹脂によって形成されている。接合層１１３に混練される微小ビーズの粒径は、１〜２０μｍ以下であることが、光の拡散作用に効果的である。
【００３５】
帯電防止層１１４は、スクリーン本体部１１０（反射スクリーン１００）の最も観察面側（映像源側）に形成された層であり、その表面抵抗は、０．１Ω（ＪＩＳ  Ｃ２１７０）である。この帯電防止層１１４は、前述の隠蔽層１１２ｂと同様に、その表面抵抗が１０10Ω以下であることが好ましい。
本実施例では、帯電防止層１１４は、紫外線硬化型樹脂によって形成され、最も映像源側の面となるその表面１１４ａには、微細な凹凸形状が形成されている。
【００３６】
図２を参照しながら、スクリーン本体部１１０（反射スクリーン１００）に入射する映像光、及び裏面側からの不要な外光について説明する。なお、図２において、説明を容易にするために、各界面での光の屈折等については省略して記載してある。
映像源Ｐから投射された映像光Ｌは、透過層１１１へ入射し、光透過部１１１ｂと光吸収部１１１ｃとの界面で全反射する等して、接合層１１３を透過したのちに、一部は拡散反射層１１２ａの接合層１１３との界面１１２ｃで拡散反射し、一部は拡散反射層１１２ａへ入射する。
ここで、隠蔽層１１２ｂが形成されていない場合、その拡散反射層１１２ａへ入射した映像光の多くが、そのまま拡散反射層１１２ａを透過して反射スクリーン１００の裏面側から出射してしまう（映像光Ｌ２）。そのため、映像の輝度が低下し、画質の劣化が生じる。
【００３７】
しかし、隠蔽層１１２ｂが形成されている本実施例の反射スクリーン１００では、拡散反射層１１２ａへ入射した光は、隠蔽層１１２ｂで鏡面反射し（映像光Ｌ１）、映像源側（観察面側）へ戻される。このとき、映像光Ｌ１は、隠蔽層１１２ｂで鏡面反射するが、映像源側へ戻る際に、拡散反射層１１２ａの界面１１２の微細な凹凸形状や接合層１１３の微小ビーズによって拡散されるため、ホットスポット等の輝度ムラは生じない。
また、照明光等、観察面側から入射する不要な外光Ｇ１は、光吸収部１１１ｃによって吸収される。
従って、反射スクリーン１００は、輝度が高く、かつ、コントラストの高い、良好な映像を表示することができる。
【００３８】
次に、反射スクリーンの裏面側から入射する外光について説明する。
隠蔽層１１２ｂが設けられていない反射スクリーンでは、反射スクリーンの裏面側に何らかの光源が存在する位置（窓際等）に反射スクリーンを配置した場合等に、反射スクリーンの裏面側から外光Ｇ２が入射し、その一部は光吸収部１１１ｃで吸収されずに観察面側まで透過してしまい（外光Ｇ２２）、コントラストの低下や、映像の不明瞭化を招き、画質が劣化する。
しかし、本実施例の隠蔽層１１２ｂを設けることにより、反射スクリーン１００の裏面側から入射する外光Ｇ２は、隠蔽層１１２ｂによって反射される（外光Ｇ２１）。従って、反射スクリーン１００を配置する場所に関係なく、良好な映像を表示することができる。
【００３９】
本実施例によれば、以下の効果が得られる。
（１）隠蔽層１１２ｂによって、拡散反射層１１２ａを透過した光を観察面側へ反射するので、映像光が裏面側から反射スクリーン１００の外部に出射することを防止し、反射スクリーン１００（スクリーン本体部１１０）に入射した光を確実に観察面側へ反射できる。従って、映像の輝度を向上できる。
また、裏面側からの不要な外光の入射を防止できるので、コントラストが高く鮮明な映像を表示できる。
（２）拡散反射層１１２ａによって、一部の映像光は拡散反射され、隠蔽層１１２ｂで鏡面反射した映像光は拡散されるので、ホットスポット等の輝度ムラを防止できる。
【００４０】
（３）隠蔽層１１２ｂの表面抵抗が１０10Ω以下であり、反射スクリーン１００（スクリーン本体部１１０）の映像源側（観察面側）の表面にも帯電防止層１１４が設けられて帯電防止処理が施されているので、反射スクリーンの映像表示領域の表面への異物の付着やかみ込みを防止でき、スクリーン表面への傷つきを防止できる。
本実施例のように、反射スクリーン１００を巻き取り型反射スクリーン装置１０に用いる場合には、不使用時に巻き取る際に異物の付着やかみ込み等が生じ易く、特に効果的である。
【００４１】
（４）反射スクリーン１００のスクリーン本体部１１０は、光透過部１１１ｂ、光吸収部１１１ｃを有するので、外光を吸収し、効率よく映像光を反射する。従って、コントラストが高く明るい映像を表示できる。
（５）反射層１１２は薄いので、反射スクリーン１００の薄型化、軽量化が可能である。
【００４２】
（変形例）
以上説明した実施例に限定されることなく、種々の変形や変更が可能であって、それらも本発明の均等の範囲内である。
（１）本実施例において、拡散反射層１１２ａは、ＰＥＴ製のフィルムであることを示したが、これに限らず、例えば、ポリエチレン（ＰＥ）、変性ポリエチレン、ポリエチレンナフタレート（ＰＥＮ）、ＰＣ、ポリメチルメタクリレート（ＰＭＭＡ）、共重合変性ＰＥ（エチレン‐酢酸ビニル（ＥＶＡ）、エチレン‐アクリル酸エチル（ＥＥＡ）、ＥＭＭＡ、ＥＭＡＡ等）、ポリプロピレン（ＰＰ）、ポリ塩化ビニル（ＰＶＣ）等を用いて形成してもよい。
【００４３】
（２）本実施例において、拡散反射層１１２ａは、サンドブラストによって、その映像源側の界面１１２ｃに微細な凹凸形状が形成されている例を示したが、これに限らず、例えば、拡散反射層１１２ａの映像源側に紫外線硬化型樹脂や電離放射線硬化型樹脂等の光硬化型樹脂を用いて、その映像源側の表面に微細な凹凸形状が形成されたマット層を形成してもよい。
また、上記のようなマット層を透過層１１１の裏面側に積層し、そのマット層の裏面側に映像源側の界面が平面である拡散反射層を積層してもよい。
【００４４】
（３）本実施例において、拡散反射層１１２ａは、接合層１１３を介して透過層１１１の裏面に接合される例を示したが、これに限らず、溶融ラミネート法によって透過層１１１の裏面側に一体的に形成してもよい。
【００４５】
（４）本実施例において、最も映像源側（観察面側）に紫外線硬化型樹脂を用いて帯電防止層１１４を設ける例を示したが、これに限らず、例えば、反射防止層や紫外線吸収層等を形成してもよいし、それらの層を形成し、さらにその映像源側（観察面側）に帯電防止剤を塗布する等して帯電防止処理を施してもよい。
【００４６】
（５）本実施例において、隠蔽層１１２ｂは、アルミニウムを蒸着することによって形成される例を示したが、これに限らず、例えば、アルミニウムを含有したシルバー系塗料等を塗布して形成してもよい。
また、隠蔽層１１２ｂは、例えば、黒色等の暗色系の塗料等を塗布して隠蔽層を形成してもよい。この場合、裏面側から反射スクリーンに入射する外光は隠蔽層によって吸収されるので、裏面側からの不要な外光による映像のコントラスト低下を防止できる。また、黒色等の暗色系の塗料は、シルバー系塗料を用いる場合よりも、安価で製造できる。
【００４７】
（６）本実施例において、非スクリーン本体部１２０は、ＰＥＴ製の黒色シートを用いる例を示したが、これに限らず、例えば、その観察面側及び裏面側の表面に帯電防止処理を施してもよい。帯電防止処理を施すことにより、スクリーン表面への異物の付着やかみ込みを防止する効果をさらに高めることができる。
【００４８】
（７）本実施例において、非スクリーン本体部１２０を設ける例を示したが、非スクリーン本体部１２０を設けず、スクリーン１００の全面をスクリーン本体部１１０によって形成してもよい。
【００４９】
（８）本実施例において、隠蔽層１１２ｂが反射スクリーン１００の最も裏面側となる例を示したが、これに限らず、隠蔽層１１２ｂの裏面側に、表面抵抗が１０10Ω以下である帯電防止層等を設けてもよいし、隠蔽層１１２ｂの裏面側に、保護層等を設けてその表面抵抗が１０10Ω以下となるような帯電防止処理を施してもよい。
【図面の簡単な説明】
【００５０】
【図１】本発明による反射スクリーン１００を備えた巻き取り型反射スクリーン装置１０、及び、これを備えた映像表示システムを説明する図である。
【図２】スクリーン本体部１１０の断面図である。
【符号の説明】
【００５１】
１０    巻き取り型反射スクリーン装置
１００    反射スクリーン
１１１    透過層
１１１ａ    基材層
１１１ｂ    単位プリズム形状
１１１ｃ    光吸収部
１１２    反射層
１１２ａ    拡散反射層
１１２ｂ    隠蔽層
１１３    接合層
１１４    帯電防止層
【図１】
2008040153.tif 000003
【図２】
2008040153.tif 000004